(57)【要約】【課題】  従来、カードに関する除電及び／又は防磁に関し、封止部材で保護する構成、またモールド樹脂により被覆して保護する構成とか、保護層形成フイルム（ホログラム）により被覆して保護する構成がしられている。しかし、記録媒体の防磁機能と、この記録媒体の長期的な使用と、確実な保護を意図するに留まっている。従って、一面的な改良であり、カードを総合的に保護するには、改良の余地が考えられる。【構成】  カーボン繊維を混在した導電性樹脂シートの基材に回路、又はＩＣチップ等の記録媒体、その他磁気情報を具備したアプリケーション領域等を備えたシート基材を設け、これらを被覆するプラスチック層で構成したＩＣ、磁気カード等のカードであって、カードの一面にカーボン繊維を表顕可能としたカードである。従って、記録媒体の保護と除電が図れる。【選択図】      図１
2007069493.tif 000002
【特許請求の範囲】
【請求項１】
カーボン繊維を混在した導電性樹脂シートを基材とし、この基材に回路、又はＩＣチップ（半導体チップ）、その他磁気情報を具備したアプリケーション領域等を備えたシート基材と、これらを被覆するプラスチック層で構成した回路、又はＩＣチップ、アプリケーション領域等を備えたＩＣ、磁気カード等のカードであって、
このカードの一面にカーボン繊維を表顕可能としたカード。
【請求項２】
カーボン繊維を混在した導電性樹脂シートを基材とし、この基材に画像、その他磁気情報を具備したアプリケーション領域等を備えたシート基材と、これらを被覆するプラスチック層で構成した画像、アプリケーション領域等を備えたＩＤ、磁気カード等のカードであって、
このカードの一面にカーボン繊維を表顕可能としたカード。
【請求項３】
カーボン繊維を混在した導電性樹脂シートを基材とし、この基材に磁気ストラップ、又はその他磁気情報を具備したアプリケーション領域等を備えたシート基材と、これらを被覆するプラスチック層で構成した磁気ストラップ、又はアプリケーション領域等を備えたキャッシュカード、磁気カード等のカードであって、
このカードの基材の一面にカーボン繊維を表顕可能としたカード。
【請求項４】
請求項１〜請求項３に記載のカーボン繊維の表顕は、原則として、基材の表面全体であって、磁気ストラップ、又は回路、ＩＣチップ、或は画像、又はこれらのアプリケーション領域等の記録媒体の周辺にスペースを介して設ける構成としたことを特徴としたカードである。
【請求項５】
請求項１〜請求項３に記載のカーボン繊維の表顕は、カーボン繊維の毛羽とすることを特徴としたカード。
【発明の詳細な説明】
【技術分野】
【０００１】
本発明は、ＩＣ、ＩＤ、キャッシュカード又は磁気カード等のカード（以下、全体を総称する場合はカードとする）の磁気ストラップ、画像、又はアプリケーション領域等の記録媒体を外部磁気から保護する防磁機能と、カードの静電気を除去する除電機能を備えたカードに関する。
【背景技術】
【０００２】
従来、カードに関する静電気除去機能（除電）及び／又は防磁に関する先行文献（従来技術）としては、封止部材で保護する構成「特開２０００−１８２０１６」、モールド樹脂により被覆して保護する構成「特開２０００−１８２０１８」、また保護層形成フイルム（ホログラム）により被覆して保護する構成「特開２００２−８６９６８」及び「特開平１１−２９１６７８号」が知られている。
【０００３】
前述した各文献（１）〜文献（４）は、カードとして必要な各種の記録媒体を外部磁気から保護する防磁機能を備えた構成か、またこの構成に到らなくとも、これらの記録媒体の長期的な使用と、確実な保護を意図するに留まっている。
【０００４】
そして、この種のカードではないが、除電装置としては、ゴム、プラスチック等からなる基材中に、導電性物質からなる静電気中和材を混入した構成「特開平９−２４５９８７号」がある。この発明は、自動車の走行によって車体や人体等に帯電した静電気をアースすることなく中和するものであり、対象物が全く異なる。
【０００５】
そこで、本発明は、カードに設けられた磁気ストラップ、画像、又はアプリケーション領域等の記録媒体を保護（防磁機能を確保）すること、そして、この防磁機能の助成として役立ち、かつカードを所有する人体及び／又は衣服に帯電した静電気を除去（除電）する手段を提供する。
【０００６】
【特許文献１】特開２０００−１８２０１６
【特許文献２】特開２０００−１８２０１８
【特許文献３】特開２００２−８６９６８
【特許文献４】特開平１１−２９１６７８号
【特許文献５】特開平９−２４５９８７号
【発明の開示】
【発明が解決しようとする課題】
【０００７】
文献（１）〜文献（４）は、前述の如く、各種の記録媒体を外部磁気から保護する防磁機能と、この記録媒体の長期的な使用と、確実な保護を意図するに留まっている。従って、一面的な改良であり、カードを総合的に保護するには、改良の余地が考えられる。
【０００８】
そして、文献（５）は、除電装置であって、カードを対象とする構造でないので、この除電技術を本発明に転用することには、困難性がある。
【０００９】
上記に鑑み、本発明は、カードに設けられた磁気ストラップ、画像、又はアプリケーション領域等の防磁機能を確保すること、そして、この防磁機能の助成として役立ち、かつカードを所有する人体及び／又は衣服に帯電した静電気を除去する構成のカードの提供を意図する。
【課題を解決するための手段】
【００１０】
請求項１の発明は、ＩＣ、磁気カード等のカードに設けられた回路、又はＩＣチップ、アプリケーション領域等の防磁機能を確保すること、そして、この防磁機能の助成として役立ち、かつこの種のカードを所有する人体及び／又は衣服に帯電した静電気を、カードの基材の一面に表顕したカーボン繊維を利用して除去できる構成のカードの提供を意図する。またカード及び／又は人、衣服等に付着する塵等の室内及び／又は車内への持ち込み防止を図ることを意図する。
【００１１】
請求項１は、カーボン繊維を混在した導電性樹脂シートを基材とし、この基材に回路、又はＩＣチップ（半導体チップ）、その他磁気情報を具備したアプリケーション領域等を備えたシート基材と、これらを被覆するプラスチック層で構成した回路、又はＩＣチップ、アプリケーション領域等を備えたＩＣ、磁気カード等のカードであって、
このカードの一面にカーボン繊維を表顕可能としたカードである。
【００１２】
請求項２の発明は、ＩＤ、磁気カード等のカードに設けられた画像、アプリケーション領域等の防磁機能を確保すること、そして、この防磁機能の助成として役立ち、かつこの種のカードを所有する人体及び／又は衣服に帯電した静電気を、カードの基材の一面に表顕したカーボン繊維を利用して除去できる構成のカードの提供を意図する。またカード及び／又は人、衣服等に付着する塵等の室内及び／又は車内への持ち込み防止を図ることを意図する。
【００１３】
請求項２は、カーボン繊維を混在した導電性樹脂シートを基材とし、この基材に画像、その他磁気情報を具備したアプリケーション領域等を備えたシート基材と、これらを被覆するプラスチック層で構成した画像、アプリケーション領域等を備えたＩＤ、磁気カード等のカードであって、
このカードの一面にカーボン繊維を表顕可能としたカードである。
【００１４】
請求項３の発明は、キャッシュカード、磁気カード等のカードに設けられた磁気ストラップ、又はアプリケーション領域等の防磁機能を確保すること、そして、この防磁機能の助成として役立ち、かつこの種のカードを所有する人体及び／又は衣服に帯電した静電気を、カードの基材の一面に表顕したカーボン繊維を利用して除去できる構成のカードの提供を意図する。またカード及び／又は人、衣服等に付着する塵等の室内及び／又は車内への持ち込み防止を図ることを意図する。
【００１５】
請求項３は、カーボン繊維を混在した導電性樹脂シートを基材とし、この基材に磁気ストラップ、又はその他磁気情報を具備したアプリケーション領域等を備えたシート基材と、これらを被覆するプラスチック層で構成した磁気ストラップ、又はアプリケーション領域等を備えたキャッシュカード、磁気カード等のカードであって、
このカードの基材の一面にカーボン繊維を表顕可能としたカードである。
【００１６】
請求項４の発明は、請求項１〜請求項３の目的を達成すること、この目的を達成するのに最適なカーボン繊維と、その表顕を図ることを意図する。
【００１７】
請求項４は、請求項１〜請求項３に記載のカーボン繊維の表顕は、原則として、基材の表面全体であって、磁気ストラップ、又は回路、ＩＣチップ、或は画像、又はこれらのアプリケーション領域等の記録媒体の周辺にスペースを介して設ける構成としたことを特徴としたカードである。
【００１８】
請求項５の発明は、請求項１〜請求項３の目的を達成すること、この目的を達成するのに最適なカーボン繊維の構成を提供することを意図する。
【００１９】
請求項５は、請求項１〜請求項３に記載のカーボン繊維の表顕は、カーボン繊維の毛羽とすることを特徴としたカードである。
【発明の効果】
【００２０】
請求項１の発明は、カーボン繊維を混在した導電性樹脂シートを基材とし、基材に回路、又はＩＣチップ（半導体チップ）、その他磁気情報を具備したアプリケーション領域等を備えたシート基材と、これらを被覆するプラスチック層で構成した回路、又はＩＣチップ、アプリケーション領域等を備えたＩＣ、磁気カード等のカードであって、
カードの一面にカーボン繊維を表顕可能としたカードである。
【００２１】
従って、請求項１は、ＩＣ、磁気カード等のカードに設けられた回路、又はＩＣチップ、アプリケーション領域等の防磁機能を確保できること、そして、この防磁機能の助成として役立ち、かつこの種のカードを所有する人体及び／又は衣服に帯電した静電気を、カードの基材の一面に表顕したカーボン繊維を利用して除去できる構成を提供できること等の特徴がある。またカード及び／又は人、衣服等に付着する塵等の室内及び／又は車内への持ち込み防止が図れる利点がある。
【００２２】
請求項２の発明は、カーボン繊維を混在した導電性樹脂シートを基材とし、基材に画像、その他磁気情報を具備したアプリケーション領域等を備えたシート基材と、これらを被覆するプラスチック層で構成した画像、アプリケーション領域等を備えたＩＤ、磁気カード等のカードであって、
カードの一面にカーボン繊維を表顕可能としたカードである。
【００２３】
従って、請求項２は、ＩＤ、磁気カード等のカードに設けられた画像、アプリケーション領域等の防磁機能を確保できること、そして、この防磁機能の助成として役立ち、かつこの種のカードを所有する人体及び／又は衣服に帯電した静電気を、カードの基材の一面に表顕したカーボン繊維を利用して除去できる構成のカードを提供できること等の特徴がある。またカード及び／又は人、衣服等に付着する塵等の室内及び／又は車内への持ち込み防止が図れる利点がある。
【００２４】
請求項３の発明は、カーボン繊維を混在した導電性樹脂シートを基材とし、基材に磁気ストラップ、又はその他磁気情報を具備したアプリケーション領域等を備えたシート基材と、これらを被覆するプラスチック層で構成した磁気ストラップ、又はアプリケーション領域等を備えたキャッシュカード、磁気カード等のカードであって、
カードの基材の一面にカーボン繊維を表顕可能としたカードである。
【００２５】
従って、請求項３は、キャッシュカード、磁気カード等のカードに設けられた磁気ストラップ、又はアプリケーション領域等の防磁機能を確保できること、そして、この防磁機能の助成として役立ち、かつこの種のカードを所有する人体及び／又は衣服に帯電した静電気を、カードの基材の一面に表顕したカーボン繊維を利用して除去できる構成を提供できること等の特徴がある。またカード及び／又は人、衣服等に付着する塵等の室内及び／又は車内への持ち込み防止が図れる利点がある。
【００２６】
請求項４の発明は、請求項１〜請求項３に記載のカーボン繊維の表顕は、原則として、基材の表面全体であって、磁気ストラップ、又は回路、ＩＣチップ、或は画像、又はこれらのアプリケーション領域等の記録媒体の周辺にスペースを介して設ける構成としたことを特徴としたカードである。
【００２７】
従って、請求項４は、請求項１〜請求項３の目的を達成できること、この目的を達成するのに最適なカーボン繊維と、その表顕が図れること等の特徴がある。
【００２８】
請求項５の発明は、請求項１〜請求項３に記載のカーボン繊維の表顕は、カーボン繊維の毛羽とすることを特徴としたカードである。
【００２９】
従って、請求項５は、請求項１〜請求項３の目的を達成できること、この目的を達成するのに最適なカーボン繊維の構成を提供できること等の特徴がある。
【発明を実施するための最良の形態】
【００３０】
本発明の一例を説明する。
【００３１】
先ず、図面の説明をすると、図１は非接触型ＩＣカードの一例（第一実施例）を分解して示した斜視図、図２は図１の断面図、図３は他の非接触型ＩＣカードの一例（第二実施例）を分解して示した斜視図、図４は図３の断面図、また図５はＩＣカードの一例（第三実施例）を分解して示した斜視図、図６は図５の断面図、さらに図７は他のＩＣカードの一例（第四実施例）を分解して示した斜視図、図８は図７の断面図、そして、図９はまた他のＩＣカードの一例（第五実施例）を分解して示した斜視図、図１０は図９の断面図、次に、図１１はクレジットカードの一例（第六実施例）を分解して示した斜視図、図１２は図１１の断面図である。
【００３２】
第一実施例の非接触型ＩＣカードの一例を図１・２に基づいて説明すると、この例では、カーボン繊維１が混在した導電性樹脂シートを基材２とし、この基材２は回路、又はＩＣチップ（半導体チップ）等の記録媒体３、又は図示しないその他磁気情報を具備したアプリケーション領域等を備える構成とする。そして、この基材２に記録媒体３等を保護するようにシート基材５を積層する。尚、場合により、シート基材５にカーボン繊維１を混在することもあり得るが、この構成では、記録媒体３等に支障を与えない手段（絶縁手段）、例えば、カーボン繊維１と記録媒体３等（両者間）に設けたスペース、記録媒体３等の離間又はこの記録媒体３の被覆等を採用する。そして、この基材２及び／又はシート基材５の少なくとも一面及び／又は周縁部にカーボン繊維１を表顕可能としたことを特徴とする。この基材２及び／又はシート基材５の面状に表顕したカーボン繊維１の多数及び／又は無数の毛羽６を介してコロナ放電することで、例えば、カード及び／又は人、衣服等に付着する塵等の室内及び／又は車内、バック、衣服のポケット、或はカード等の投入口及び／又は内部等への持ち込み防止が図れる利点がある。また、例えば、塵等の持ち込みに起因する機械の故障及び／又は誤動作の回避等が図れる特徴がある。
【００３３】
第二実施例のＩＣカードの一例を図３・４に基づいて説明すると、この例では、カーボン繊維１が混在した不織布（導電性樹脂シート）を基材２とし、この基材２は回路、又はＩＣチップ等の記録媒体３、又は図示しないその他磁気情報を具備したアプリケーション領域等を備える構成とする。そして、この基材２に記録媒体３等を保護するように不織布でなるシート基材５を積層する。尚、場合により、シート基材５にカーボン繊維１を混織することもあり得るが、この構成では、記録媒体３等に支障を与えない手段、例えば、カーボン繊維１と記録媒体３等（両者間）に設けたスペース、記録媒体３等の隔壁又はこの記録媒体３の被覆等を採用する。そして、この基材２及び／又はシート基材５の少なくとも一面にカーボン繊維１を表顕可能とすることを特徴とする。その他は前述の例に準ずる。
【００３４】
第三実施例のＩＣカードの一例を図５・６に基づいて説明すると、この例では、カーボン繊維１が混在した導電性樹脂シートを基材２とし、この基材２は回路、又はＩＣチップ等の記録媒体３、又は図示しないその他磁気情報を具備したアプリケーション領域等を備える構成とする。そして、この基材２に記録媒体３等を保護するように望ましくは可撓性の中間シート４を介して薄肉化及び／又は可撓性を備えたシート基材５を積層する。尚、場合により、シート基材５にカーボン繊維１を混在することもあり得るが、この構成では、記録媒体３等に支障を与えない手段を前述の各例と同様に設ける。そして、この基材２及び／又はシート基材５の少なくとも一面にカーボン繊維１を表顕可能とすることを特徴とする。この例では、シート基材５に可撓性を付与するとともに、このシート基材５を保護する可撓性の中間シート４を介在し、カードの折れ曲がりによる弊害を無くす構造である。
【００３５】
第四実施例のＩＣカードの一例を図７・８に基づいて説明すると、この例では、カーボン繊維１が混在した導電性樹脂シートの基礎基材２ａに、回路、又はＩＣチップ（半導体チップ）等の記録媒体３、又は図示しないその他磁気情報を具備したアプリケーション領域等を備える基材２を積層して構成とする。そして、この基材２に記録媒体３等を保護するようにシート基材５を積層する。尚、場合により、シート基材５にカーボン繊維１を混在することもあり得るが、この構成では、記録媒体３等に支障を与えない手段を前述の各例と同様に設ける。そして、この基材２及び／又はシート基材５の一面にカーボン繊維１を表顕可能とすることを特徴とする。他は前述の各例に準ずる。
【００３６】
第五実施例のＩＤカードの一例を図９・１０に基づいて説明すると、この例では、カーボン繊維１が混在した導電性樹脂シートを基材２とし、この基材２は画像等の記録媒体３、又は図示しないその他磁気情報を具備したアプリケーション領域等を備える構成とする。そして、この基材２に記録媒体３等を保護するようにシート基材５を積層する。尚、場合により、シート基材５にカーボン繊維１を混在することもあり得るが、この構成では、記録媒体３等に支障を与えない手段（絶縁手段）を前述の各例と同様に設ける。そして、この基材２及び／又はシート基材５の少なくとも一面にカーボン繊維１を表顕可能とすることを特徴とする。他は前述の例に準ずる。
【００３７】
第六実施例のＩＤカードの一例を図１１・１２に基づいて説明すると、この例では、カーボン繊維１が混在した透明性の導電性樹脂シートを基材２とし、この基材２は磁気ストラップ、磁気記号、磁気印刷表示等の記録媒体３、又はその他磁気情報を具備したアプリケーション領域等を備える構成とする。そして、この基材２に中間シート４を介して記録媒体３等を保護するようにシート基材５を積層する。尚、場合により、シート基材５にカーボン繊維１を混在することもあり得るが、この構成では、記録媒体３等に支障を与えない手段（絶縁手段）を前述の各例と同様に設ける。そして、この基材２及び／又はシート基材５の少なくとも一面にカーボン繊維１を表顕可能とすることを特徴とする。他は前述の例に準ずる。
【図面の簡単な説明】
【００３８】
【図１】図１は非接触型ＩＣカードの一例（第一実施例）を分解して示した斜視図
【図２】図２は図１の断面図
【図３】図３は他の非接触型ＩＣカードの一例（第二実施例）を分解して示した斜視図
【図４】図４は図３の断面図
【図５】図５はＩＣカードの一例（第三実施例）を分解して示した斜視図
【図６】図６は図５の断面図
【図７】図７は他のＩＣカードの一例（第四実施例）を分解して示した斜視図
【図８】図８は図７の断面図
【図９】図９はまた他のＩＣカードの一例（第五実施例）を分解して示した斜視図
【図１０】図１０は図９の断面図
【図１１】図１１はクレジットカードの一例（第六実施例）を分解して示した斜視図
【図１２】図１２は図１１の断面図
【符号の説明】
【００３９】
１            カーボン繊維
２            導電性樹脂シートの基材
２ａ          導電性樹脂シートの基礎基材
３            記録媒体
４            中間シート
５            シート基材
６            毛羽
【図１】
2007069493.tif 000003
【図２】
2007069493.tif 000004
【図３】
2007069493.tif 000005
【図４】
2007069493.tif 000006
【図５】
2007069493.tif 000007
【図６】
2007069493.tif 000008
【図７】
2007069493.tif 000009
【図８】
2007069493.tif 000010
【図９】
2007069493.tif 000011
【図１０】
2007069493.tif 000012
【図１１】
2007069493.tif 000013
【図１２】
2007069493.tif 000014